(57)【特許請求の範囲】
【請求項１】
タッチパネルと、
前記タッチパネル上での接触が検知された領域が当該タッチパネルの縁部であるかを判断する判断部と、
前記タッチパネル上の第１領域への接触を検知中に前記第１領域とは異なる第２領域に対する接触が検知され、検知された第１領域及び第２領域のうち一の領域が縁部であると前記判断部が判断する場合に、他の領域の接触に係る操作に対応付けられた処理を有効な処理として特定する処理制御部とを備え、
前記タッチパネルは、縁部の設定が行われていない状態である場合において、縁部を設定する際に縁部設定用領域を表示し、
縁部を設定する場合において、前記縁部設定用領域に接触が検知される際に、当該縁部設定用領域の接触の検知前に他の領域への接触が検知されているときには、先に検知された領域に基づいて縁部を設定する設定部を更に備える
ことを特徴とする携帯端末装置。
【請求項２】
前記処理制御部は、
前記一の領域が縁部であると前記判断部が判断する場合には、前記一の領域の接触に係る操作に対応付けられた処理を無効な処理として特定する
ことを特徴とする請求項１に記載の携帯端末装置。
【請求項３】
前記タッチパネルでの接触が未検出状態において、前記タッチパネル上の前記第１領域に対する接触が検知されると、前記判断部は、前記第１領域が前記タッチパネル上の縁部に含まれるか否かを判断し、
前記処理制御部は、前記第１領域の接触を検知中に前記第２領域に対する接触が検知され、且つ前記第１領域が縁部に含まれると前記判断部が判断する場合には、前記第２領域の接触に係る操作に対応付けられた処理を有効な処理と特定する
ことを特徴とする請求項２に記載の携帯端末装置。
【請求項４】
前記携帯端末装置は、前記タッチパネル上の２点タッチにより特定される処理を実行する携帯端末装置であって、
前記タッチパネル上の前記第１領域を接触中に前記第２領域に対する接触が検知されると、
前記判断部は、先に接触が検知された前記第１領域が前記タッチパネル上の縁部に属するか否かを判断し、
前記処理制御部は、
前記判断部が前記第１領域が縁部に含まれると判断する場合には、前記第２領域の接触に係る操作に対応付けられた処理を有効な処理と特定し、
前記判断部が前記第１領域及び第２領域の双方とも前記タッチパネルの縁部に含まれないと判断する場合には、前記第１領域及び前記第２領域の接触に係る操作に対応した前記２点タッチにより特定される処理を有効な処理と特定する
ことを特徴とする請求項２に記載の携帯端末装置。
【請求項５】
前記判断部は、さらに、
先に接触を検知している前記第１領域が前記タッチパネル上の縁部に含まれないと判断される場合には、後に接触を検知した前記第２領域が前記タッチパネル上の縁部に属するか否かを判断し、
前記処理制御部は、さらに、
前記第２領域が縁部に含まれると判断する場合には、先に接触を検知している前記第１領域の接触に係る操作に対応付けられた処理を有効な処理と特定し、前記第２領域の接触に係る操作に対応付けられた処理を無効な処理と特定する
ことを特徴とする請求項４に記載の携帯端末装置。
【請求項６】
前記タッチパネルによって表示される前記縁部設定用領域は複数であり、
前記設定部は、前記設定を、前記複数の縁部設定領域それぞれについての接触が検知される際に、当該縁部設定用領域の接触の検知前に他の領域への接触が検知されているときには、先に検知された各他の領域全てを含む領域を縁部として、または先に検知された各他の領域全てに共通する領域を含む領域を縁部として設定するように行う
ことを特徴とする請求項２に記載の携帯端末装置。
【請求項７】
タッチパネルと、判断部と、処理制御部と、設定部とを備える携帯端末装置で用いられる処理方法であって、
前記判断部が、前記タッチパネル上での接触が検知された領域が当該タッチパネルの縁部であるかを判断する判断ステップと、
前記処理制御部が、前記タッチパネル上の第１領域への接触を検知中に前記第１領域とは異なる第２領域に対する接触が検知され、検知された第１領域及び第２領域のうち一の領域が縁部であると前記判断ステップが判断する場合に、他の領域の接触に係る操作に対応付けられた処理を有効な処理として特定する処理制御ステップと、
前記タッチパネルが、縁部の設定が行われていない状態である場合において、縁部を設定する際に縁部設定用領域を表示する表示ステップと、
前記設定部が、縁部を設定する場合に、前記縁部設定用領域に接触が検知される際に、当該縁部設定用領域の接触の検知前に他の領域への接触が検知されているときには、先に検知された領域に基づいて縁部を設定する設定ステップとを含む
ことを特徴とする処理方法。
【発明の詳細な説明】
【技術分野】
【０００１】
本発明は、タッチパネル機構を有し、タッチ位置を検出する装置に関する。
【背景技術】
【０００２】
近年、タッチパネル機構を有する端末装置、例えば、携帯電話機が多く出現している。このような端末装置において、ユーザはディスプレイ上に表示されたアイコンやボタン等を指でタッチしてリリースしたり、タッチしたまま指をスライドしたりすることで、当該端末装置に対して操作指示を与えることができる。
端末装置では、ユーザがタッチした位置を正確に特定、つまりユーザの操作指示を正確に特定するための技術として、特許文献１がある。
【０００３】
具体的には、特許文献１では、複数のキーが配置（表示）されたディスプレイ上でタッチされた位置から１つのキーが特定できない場合において、タッチされた位置の周辺のキーを含む領域を拡大表示して、ユーザに再度タッチさせる技術が開示されている。
【先行技術文献】
【特許文献】
【０００４】
【特許文献１】特開２００１−１７５３７５号公報
【発明の概要】
【発明が解決しようとする課題】
【０００５】
ところで、タッチパネル機構が携帯電話機などのような携帯端末装置で用いられる場合、ユーザは携帯端末装置を持つ手の指で簡単に操作できるという利便性がある。しかしながら、片手（携帯端末装置を持つ手）で操作を行う場合、図８に示すように携帯端末装置１０００のディスプレイ１００４に表示されているアイコン１１００をタッチしようとする際に、先にディスプレイ１００４の縁に位置する領域１１１０に指の付け根がタッチしてしまうことがある。このような場合、特許文献１に開示されている技術を適用しても、携帯端末装置１０００は、先にタッチされた領域１１１０に対する操作指示を受け付けてしまい、ユーザが本来タッチしようとしたアイコン１１００についての操作指示は受け付けられない。そのため、ユーザが意図しない操作が行われることとなり、特許文献１に開示されている技術を適用してもユーザの操作指示を正確に特定することができない場合がある。
【０００６】
そこで、本発明は、ユーザが縁部へのタッチを行った場合においても、他の領域へのタッチによる操作指示を受け付けることのできる携帯端末装置及び処理方法を提供することを目的とする。
【課題を解決するための手段】
【０００７】
上記目的を達成するために、本発明は、携帯端末装置であって、タッチパネルと、前記タッチパネル上での接触が検知された領域が当該タッチパネルの縁部であるかを判断する判断部と、前記タッチパネル上の第１領域への接触を検知中に前記第１領域とは異なる第２領域に対する接触が検知され、検知された第１領域及び第２領域のうち一の領域が縁部であると前記判断部が判断する場合に、他の領域の接触に係る操作に対応付けられた処理を有効な処理として特定する処理制御部とを備えることを特徴とする。
【発明の効果】
【０００８】
上記の構成によると、携帯端末装置は、第１領域と第２領域とのそれぞれの接触を検知すると、何れかの領域がタッチパネルの縁部である場合には他方の領域の接触に係る操作に対応する処理を有効なものとして特定するので、ユーザが縁部へのタッチを行った場合においても、他の領域へのタッチによる操作指示を受け付けることのできる。
【図面の簡単な説明】
【０００９】
【図１】（ａ）は携帯電話機（携帯端末装置）１の開状態時の外観を示す図であり、（ｂ）は携帯電話機（携帯端末装置）１の閉状態時の外観を示す図である。
【図２】携帯電話機１の構成を示すブロック図である。
【図３】（ａ）はタッチパネル１０における縁部を示す図であり、（ｂ）は縁部領域テーブルＴ１００のデータ構造の一例を示す図である。
【図４】携帯電話機１においてタッチ検出の動作に係る処理を示す流れ図である。
【図５】携帯電話機１Ａの構成を示すブロック図である。
【図６】携帯電話機１Ａにおいてタッチ検出の動作に係る処理を示す流れ図である。
【図７】（ａ）、（ｂ）は１つの設定用アイコン１００を用いて縁部の設定を行う場合の一例を示す図であり、（ｃ）、（ｄ）は３つの設定用アイコン１０１、１０２、１０３を用いて縁部の設定を行う場合の一例を示す図である。
【図８】あるアイコン１１００をタッチしようとする場合において、先に指の付け根が領域１１１０にタッチする一例を示す図である。
【発明を実施するための形態】
【００１０】
１．第１の実施の形態
本発明に係る第１の実施の形態としての携帯端末装置１について説明する。
１．１  概要
携帯端末装置１は、例えば、携帯電話機に適用され、その外観について図１の（ａ）、（ｂ）を参照しつつ説明する。
【００１１】
携帯電話機（携帯端末装置）１は筐体２、３を備えており、筐体２を筐体３に対してスライドさせることで相互に開閉できるように構成されている。図１（ａ）は携帯電話機１を開状態にした場合を、図１（ｂ）は閉状態にした場合を、それぞれ示している。
筐体２には、タッチパネル機能を有した液晶ディスプレイ（以下、ＬＣＤ（Ｌｉｑｕｉｄ  Ｃｒｙｓｔａｌ  Ｄｉｓｐｌａｙ））などで構成された表示部４と、スピーカ部６とが配置されている。
【００１２】
筐体３には、キー操作部５とマイクロフォン７とが配置されている。
表示部４は、後述するタッチパネルを構成し、画像を表示するとともに、タッチ入力を受け付ける。
キー操作部５は、テンキーなどを含んで構成され、キー入力を受け付ける。
スピーカ部６は、外部に対して音を発する。
【００１３】
マイクロフォン７は、外部からの音を取得する。
なお、本実施の形態のタッチパネル機能は、静電容量方式により動作するものとする。
１．２  構成
ここでは、携帯電話機（携帯端末装置）１において、タッチの検出に係る機能構成について説明する。
【００１４】
携帯電話機１のタッチ検出機能は、図２に示すように、表示部４、検知部２０及び制御部３０から構成されている。
なお、携帯電話機１は、図２においてはタッチ検出機能に係る構成要素だけを示しているが、その他キー操作部５、及び通信機能に係る構成要素など、携帯電話機としての機能を備えている。
【００１５】
以下、タッチ検出について説明する。
（１）表示部４
表示部４は、指でタッチされた点を検出する機能を備えたタッチパネル１０を備える。
ここで、タッチパネルのタッチ位置の検出方法は、自己キャパシタ型の静電容量方式である。静電容量方式については、既知の技術であるので、ここでは簡単に説明する。静電容量方式によるタッチパネルでは、図１に示すｘ軸方向及びｙ軸方向について、それぞれ複数の透明電極が配置されている。ある点がタッチされると、その直下にあるｘ軸方向の透明電極及びｙ軸方向の透明電極それぞれに電荷が蓄積され、パルス駆動バッファから入力されるパルス信号の立ち上がり（例えば０Ｖから５Ｖへの立ち上がり）が、鈍くなる。つまり、電圧の定期的な変化に乱れが生じる。これの変化を検知することで、タッチパネル上でのタッチがなされたことが分かる。
【００１６】
（２）検知部２０
検知部２０は、パルス信号の乱れが生じたｘ軸方向の透明電極及びｙ軸方向の透明電極の組み合わせから、タッチパネル上でタッチされた位置を特定する。
検知部２０は、ある１点のタッチを検出中、つまり、ある１点がタッチされたままの状態で、他の位置がタッチされると、その位置をも特定する。
【００１７】
（３）制御部３０
制御部３０は、図２に示すように、記憶部３１、タッチ状態確認部３２及び処理部３３を備える。
（３−１）記憶部３１
記憶部３１は、表示部４における縁部である領域Ｅを示す情報を記憶している。
【００１８】
ここで、縁部とは、図３（ａ）の斜線部で示す領域である。具体的には、始点（０、０）と終点（ｘ３、ｙ１）、始点（０、ｙ１）と終点（ｘ１、ｙ２）、始点（０、ｙ２）と終点（ｘ３、ｙ３）、及び始点（ｘ２、ｙ１）と終点（ｘ３、ｙ２）のそれぞれから定まる矩形の組み合わせからなる領域である。
記憶部３１は、これら始点と終点とからなる４つの組み合わせを、縁部領域テーブルＴ１００として記憶している。
【００１９】
（３−２）タッチ状態確認部３２
タッチ状態確認部３２は、タッチパネル１０上で検出されたタッチが有効なもの、つまりユーザからの操作指示として受け付けるものであるか否かを特定するものである。
タッチ状態確認部３２は、タッチパネル１０上で未だタッチされていない状態、つまり検知部２０によりタッチされた位置が特定されていない状態において、タッチが検出されると、その位置を一時的に記憶しておく。なお、このとき検出されたタッチは、縁部に含まれるか否かに関わらず有効なものとして扱われる。
【００２０】
ある１点がタッチされたままの状態で他の位置でのタッチが検出されると、タッチ状態確認部３２は、縁部領域テーブルＴ１００を用いて、先にタッチ検出された位置（一時的に記憶している位置）が縁部に含まれるか否かを判定する。具体的には、タッチ状態確認部３２は、タッチ検出された位置が始点（０、０）と終点（ｘ３、ｙ１）、始点（０、ｙ１）と終点（ｘ１、ｙ２）、始点（０、ｙ２）と終点（ｘ３、ｙ３）、及び始点（ｘ２、ｙ１）と終点（ｘ３、ｙ２）のそれぞれから定まる何れかの矩形領域に含まれるか否かを判定する。
【００２１】
タッチ状態確認部３２は、先にタッチされている位置が上記判定で縁部に含まれると判定する場合は、先に検出されたタッチに係る操作が示す処理を無効なものとし、後で検出されたタッチに係る操作が示す処理を有効なものと特定する。
ここで、タッチに係る操作とは、タッチ後のリリース（つまりはクリック操作）、タッチしたままのスライド（つまりドラッグ操作）を意味する。例えば、クリック操作が行われると、タッチにより指定されたアイコンやボタンが示す処理を実行する。また、ドラッグ操作が行われると、例えば画面スクロールが実行される。
【００２２】
（３−３）処理部３３
処理部３３は、タッチ状態確認部３２で有効と特定されたタッチに係る操作に基づく処理を行う。
１．３  処理
ここでは、携帯電話機１においてタッチ検出の動作に係る処理について、図４に示す流れ図を用いて説明する。
【００２３】
タッチパネル１０は、一の領域のタッチを検出の判断を行う（ステップＳ５）。検出していないと判断する場合には（ステップＳ５における「Ｎｏ」）、タッチパネル１０は、タッチの検出待ちの状態となる。
一の領域のタッチを検出したと判断する場合には（ステップＳ５における「Ｙｅｓ」）、タッチ状態確認部３２は、タッチされた領域においてタッチのリリースが行われたか、つまりクリック操作が行われたか否かを判断する（ステップＳ１０）。
【００２４】
リリースが行われていないと判断する場合（ステップＳ１０における「Ｎｏ」）、タッチパネル１０は、次のタッチの検出の有無を判断する（ステップＳ１５）。
次のタッチが検出されたと判断される場合（ステップＳ１５における「Ｙｅｓ」）、制御部３０のタッチ状態確認部３２は、縁部領域テーブルＴ１００を用いて、先に検出されたタッチの領域（位置）がタッチパネル１０の縁部に含まれるか否かを判断する（ステップＳ２０）。具体的には、検知部２０で検知された先のタッチ位置が、始点（０、０）と終点（ｘ３、ｙ１）、始点（０、ｙ１）と終点（ｘ１、ｙ２）、始点（０、ｙ２）と終点（ｘ３、ｙ３）、及び始点（ｘ２、ｙ１）と終点（ｘ３、ｙ２）のそれぞれから定まる何れかの矩形領域に含まれるか否かを判定する。
【００２５】
先に検出されたタッチの領域（位置）が縁部に含まれると判断する場合（ステップＳ２０における「Ｙｅｓ」）、タッチ状態確認部３２は、先に検出されたタッチに係る操作が示す処理を無効なものとし、後で検出されたタッチに係る操作が示す処理を有効なものと特定し（ステップＳ２５）、処理はステップＳ１０へ戻る。
先に検出されたタッチの領域（位置）が縁部に含まれないと判断する場合（ステップＳ２０における「Ｎｏ」）、タッチ状態確認部３２は、先に検出されたタッチに係る操作が示す処理を有効なものとし（ステップＳ３０）、処理はステップＳ１０へ戻る。
【００２６】
次のタッチが検出されていないと判断される場合（ステップＳ１５における「Ｎｏ」）、タッチ状態確認部３２は、ドラッグ操作が行われたか否かを判断する（ステップＳ３５）。ドラッグ操作が行われたと判断される場合（ステップＳ３５における「Ｙｅｓ」）、処理部３３は、画面のスクロール処理を行う（ステップＳ４０）。ドラッグ操作が行われていないと判断される場合（ステップＳ３５における「Ｎｏ」）、処理はステップＳ１０へ戻る。
【００２７】
リリースが行われたと判断される場合（ステップＳ１０における「Ｙｅｓ」）、つまりクリック操作が行われたと判断される場合、処理部３３は、クリック操作が行われた位置にアイコン若しくはボタンがあるか否かを判断する（ステップＳ４５）。
クリック操作が行われた位置にアイコン若しくはボタンがあると判断する場合には（ステップＳ４５における「Ｙｅｓ」）、処理部３３は、アイコン若しくはボタンが指定する処理を実行する（ステップＳ５０）。
【００２８】
クリック操作が行われた位置にアイコン若しくはボタンがないと判断する場合には（ステップＳ４５における「Ｎｏ」）、処理部３３は何も実行しない。そして、処理は、ステップＳ５へと戻る。
２．第２の実施の形態
ここでは、第２の実施の形態に係る携帯電話機（携帯端末装置）１Ａについて、第１の実施の形態と異なる点を中心に説明する。
【００２９】
第１の実施の形態では、携帯電話機１で実行される処理はタッチパネル１０上の１点のタッチで決定されるもの（１点タッチ操作）としたが、第２の実施の形態では、携帯電話機１Ａで実行される処理は、１点タッチ操作で決定されるものに加え、タッチパネル１０上において同時に２点をタッチすることで決定されるもの（２点タッチ操作）も含む。
ここで、同時に２点タッチするとは、タッチパネル上の２点のタッチ期間が、タッチ開始から終了までに完全に一致する場合のみならず、２点タッチそれぞれのタッチ期間の少なくとも一部が同時であればよい。
【００３０】
また、２点タッチ操作として、例えば、画面に表示された対象を移動させたり、回転させたり、大きさを変化させたりする操作等がある。しかしながら、これに限定されるものではなく、適宜な２点タッチ操作を採用することができる。
２．１  構成
ここでは、携帯電話機１Ａの構成について、第１の実施の形態で示す携帯電話機１と異なる機能構成について説明する。なお、第１の実施の形態と同様の機能構成については、同一の符号を付する。
【００３１】
携帯電話機１Ａのタッチ検出機能は、図５に示すように、表示部４、検知部２０及び制御部３０Ａから構成されている。
なお、携帯電話機１Ａは、図５においてはタッチ検出機能に係る構成要素だけを示しているが、第１の実施の形態で示す携帯電話機１と同様に、その他キー操作部５、及び通信機能に係る構成要素など、携帯電話機としての機能を備えている。
【００３２】
表示部４、検知部２０の機能については、第１の実施の形態で説明しているので、以下においては制御部３０Ａについて説明する。
（１）制御部３０Ａ
制御部３０Ａは、図５に示すように、記憶部３１、タッチ状態確認部３２Ａ、及び処理部３３Ａを備える。
【００３３】
記憶部３１については、第１の実施の形態で説明しているので、ここでは、タッチ状態確認部３２Ａ及び処理部３３Ａについて説明する。
（１−１）タッチ状態確認部３２Ａ
タッチ状態確認部３２Ａは、タッチパネル１０上で検出されたタッチが有効なもの、つまりユーザからの操作指示として受け付けるものでであるか否かを特定するものである。
【００３４】
タッチ状態確認部３２Ａは、タッチパネル１０上で未だタッチされていない状態、つまり検知部２０によりタッチされた位置が特定されていない状態において、タッチが検出されると、その位置を一時的に記憶しておく。なお、このとき検出されたタッチは、縁部に含まれるか否かに関わらず有効なものとして扱われる。
ある１点がタッチされたままの状態で他の位置でのタッチが検出されると、タッチ状態確認部３２Ａは、縁部領域テーブルＴ１００を用いて、先にタッチ検出された位置（一時的に記憶している位置）が縁部に含まれるか否かを判定する。
【００３５】
タッチ状態確認部３２Ａは、先にタッチされている位置が上記判定で縁部に含まれると判定する場合は、先に検出されたタッチに係る操作が示す処理を無効なものとし、後で検出されたタッチに係る操作が示す処理を有効なものと特定する。
タッチ状態確認部３２Ａは、先にタッチされている位置が上記判定で縁部に含まれないと判定する場合は、後にタッチされた位置が縁部に含まれるか否かを判定する。
【００３６】
後にタッチされた位置が縁部に含まれると判定する場合には、後に検出されたタッチに係る操作が示す処理を無効なものとし、先に検出されたタッチに係る操作が示す処理を有効なものと特定する。
後にタッチされた位置も縁部に含まれないと判定する場合には、先に検出されたタッチに係る操作が示す処理、及び後に検出されたタッチに係る操作が示す処理の双方とも有効なものと特定する。
【００３７】
（１−２）処理部３３Ａ
第１の実施の形態で示す処理部３３の機能に加えて、以下の機能をも有する。
処理部３３Ａは、タッチ状態確認部３２Ａで、先に検出されたタッチに係る操作が示す処理、及び後に検出されたタッチに係る操作が示す処理の双方とも有効なものと特定されると、先に検出されたタッチ位置と後に検出されたタッチ位置とから定まる処理（２点タッチ操作）を実行する。
【００３８】
２．２  処理
ここでは、携帯電話機１Ａにおいてタッチ検出の動作に係る処理について、図６に示す流れ図を用いて説明する。
タッチパネル１０は、一の領域のタッチを検出の判断を行う（ステップＳ１００）。検出していないと判断する場合には（ステップＳ１００における「Ｎｏ」）、タッチパネル１０は、タッチの検出待ちの状態となる。
【００３９】
一の領域のタッチを検出したと判断する場合には（ステップＳ１００における「Ｙｅｓ」）、制御部３０Ａのタッチ状態確認部３２Ａは、タッチされた領域においてタッチのリリースが行われたか、つまりクリック操作が行われたか否かを判断する（ステップＳ１０５）。
リリースが行われていないと判断する場合（ステップＳ１０５における「Ｎｏ」）、タッチパネル１０は、次のタッチの検出の有無を判断する（ステップＳ１１０）。
【００４０】
次のタッチが検出されたと判断される場合（ステップＳ１１０における「Ｙｅｓ」）、タッチ状態確認部３２Ａは、縁部領域テーブルＴ１００を用いて、先に検出されたタッチの領域（位置）がタッチパネル１０の縁部に含まれるか否かを判断する（ステップＳ１１５）。
先に検出されたタッチの領域（位置）が縁部に含まれると判断する場合（ステップＳ１１５における「Ｙｅｓ」）、タッチ状態確認部３２Ａは、先に検出されたタッチに係る操作が示す処理を無効なものとし、後で検出されたタッチに係る操作が示す処理を有効なものと特定し（ステップＳ１２０）、処理はステップＳ１０５へ戻る。
【００４１】
先に検出されたタッチの領域（位置）が縁部に含まれないと判断する場合（ステップＳ１１５における「Ｎｏ」）、タッチ状態確認部３２Ａは、後に検出されたタッチの位置がタッチパネル１０の縁部に含まれるか否かを判断する（ステップＳ１２５）。
後に検出されたタッチ位置が縁部に含まれないと判断される場合（ステップＳ１２５における「Ｎｏ」）、処理部３３Ａは、先に検出されたタッチ位置と後に検出されたタッチ位置とから定まる処理（２点タッチ操作）を実行する（ステップＳ１３０）。
【００４２】
後に検出されたタッチの領域（位置）が縁部に含まれると判断する場合（ステップＳ１２５における「Ｙｅｓ」）、タッチ状態確認部３２Ａは、後に検出されたタッチに係る操作が示す処理を無効なものとし、先に検出されたタッチに係る操作が示す処理を有効なものと特定し（ステップＳ１３５）、処理はステップＳ１０５へ戻る。
次のタッチが検出されていないと判断される場合（ステップＳ１１０における「Ｎｏ」）、タッチ状態確認部３２Ａは、ドラッグ操作が行われたか否かを判断する（ステップＳ１４０）。ドラッグ操作が行われたと判断される場合（ステップＳ１４０における「Ｙｅｓ」）、処理部３３Ａは、画面のスクロール処理を行う（ステップＳ１４５）。ドラッグ操作が行われていないと判断される場合（ステップＳ１４０における「Ｎｏ」）、処理はステップＳ１０５へ戻る。
【００４３】
リリースが行われたと判断される場合（ステップＳ１０５における「Ｙｅｓ」）、つまりクリック操作が行われたと判断される場合、処理部３３Ａは、クリック操作が行われた位置にアイコン若しくはボタンがあるか否かを判断する（ステップＳ１５０）。
クリック操作が行われた位置にアイコン若しくはボタンがあると判断する場合には（ステップＳ１５０における「Ｙｅｓ」）、処理部３３Ａは、アイコン若しくはボタンが指定する処理を実行する（ステップＳ１５５）。
【００４４】
クリック操作が行われた位置にアイコン若しくはボタンがないと判断する場合には（ステップＳ１５０における「Ｎｏ」）、処理部３３Ａは何も実行しない。そして、処理は、ステップＳ１００へと戻る。
３．変形例
以上、実施の形態に基づいて説明したが、本発明は上記の実施に限られない。例えば、以下のような変形例が考えられる。
【００４５】
（１）上記各実施の形態において、タッチパネルと検知部とを異なる構成要素として説明したが、これに限定されない。
検知部をタッチパネルを構成する一要素としてもよい。
（２）タッチした位置が縁部であるか否かの判定は、当該タッチを検出中に他の位置でのタッチが行われた時点で行われたが、これに限定されない。タッチを検出した時点、つまり他の位置でのタッチを検出する前に縁部であるか否かの判定を行ってもよい。
【００４６】
（３）縁部の領域は、予め設定されているものとしたが、これに限定されない。ユーザ操作により設定されてもよい。
以下に、ユーザ操作による設定について、第１の実施の形態の携帯電話機１を用いて説明する。
携帯電話機１は、縁部の設定時において、図７（ａ）に示すように、設定用アイコン１００を表示する。ユーザは、携帯電話機１を持つ手の指（例えば、親指）で設定用アイコン１００をタッチする。このとき、携帯電話機１の検知部２０は、設定用アイコン１００がタッチされる直前に領域１１０（図７（ｂ）を参照）のタッチを検出したとする。制御部３０は、当該領域１１０を縁部として設定する。なお、制御部３０は、設定する際には、タッチ検出された領域１１０を含む最小の矩形領域として始点及び終点を記憶部３１に記憶する。
【００４７】
また、別の例を図７（ｃ）に示す。図７（ａ）、（ｂ）では、設定用アイコンが１つであるとしたが、ここでは複数の設定用アイコンが表示されるものとする。図７（ｃ）では、３つの設定用アイコン１０１、１０２、１０３が表示されているものとする。
ユーザは、設定用アイコン１０１、１０２、１０３を順次タッチする。このとき、検知部２０は、設定用アイコン１０１がタッチされる直前に領域１１１（図７（ｄ）を参照）のタッチを、設定用アイコン１０２がタッチされる直前に領域１１２（図７（ｄ）を参照）のタッチを、設定用アイコン１０３がタッチされる直前に領域１１３（図７（ｄ）を参照）のタッチを、それぞれ検出したとする。制御部３０は、検出された各領域１１１、１１２、１１３の全てを含む最小の矩形領域を縁部として設定する。なお、設定する際には、制御部３０は、検出された各領域１１１、１１２、１１３の全てを含む最小の矩形領域の始点及び終点を記憶部３１に記憶する。
【００４８】
なお、複数の設定用アイコンを用いた縁部の設定では、検出された全ての領域を含む最小の矩形領域としたが、これに限定されない。検出された各領域に共通する領域を縁部として設定してもよい。
このように、実測から得られた領域を縁部として設定することにより、ユーザがタッチパネル上をタッチする際に、縁部のタッチであるか否かの判定の精度を上げることができる。
【００４９】
なお、図７では、左手でタッチした場合の縁部の設定動作を説明したが、この設定動作は右手でタッチした場合の縁部の設定動作であってもよいし、左手用の縁部、右手用の縁部というように、左手及び右手の双方の手でタッチした場合それぞれにおて縁部の設定動作を行ってもよいし、ユーザ毎に縁部の設定動作を行い、ユーザ毎の縁部を設定可能としてもよい。
【００５０】
（４）縁部の判定の処理の実施・不実施をユーザ操作により切り替えてもよい。この場合のユーザ操作は、キー操作部５の物理ボタンを押下するものであってもよいし、表示部４にメニューを表示させ、メニュー表示による操作であってもよい。なお、メニュー表示による操作は、キー操作部５での操作であってもよいし、タッチパネル１０による操作であってもよい。
【００５１】
この場合、ユーザ操作により縁部の判定の処理の不実施が指定されると、先のタッチが常に有効となる。つまり、タッチを検出中に他の位置のタッチを検出しても、他の位置のタッチは有効とはならない。
（５）本発明の携帯端末装置をスライド式の携帯電話機を用いて説明したが、これに限定されない。本発明の携帯端末装置は、折り畳み型の携帯電話機であってもよいし、ストレートタイプの携帯電話機であってもよいし、その他の適宜な形態の携帯電話機であってもよい。
【００５２】
また、本発明の携帯端末装置は、携帯電話機に限るものではなく、タッチパネル機構を有する携帯型の装置であれば、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙ−ｐｈｏｎｅ  Ｓｙｓｔｅｍ）、音楽プレーヤ、電子ブック、ゲーム機、パーソナルコンピュータ等であってもよい。
（６）上記第１の実施の形態において、先のタッチを検出中に他のタッチを検出した場合、先のタッチが縁部へのタッチであるときに他のタッチを有効なものとしたが、これに限定されない。
【００５３】
先のタッチ、後のタッチに関係なく、一のタッチが縁部へのタッチであるときには他方のタッチを有効にするとしてもよい。
（７）実施の形態で示す各機能要素は、携帯電話機が有するプロセッサと協働することにより、その機能を実現する。
（８）本発明は、上記に示す携帯端末装置で用いられる方法であってもよい。また、これらの方法をコンピュータにより実現するコンピュータプログラムであるとしてもよい。
【００５４】
（９）上記の実施の形態及び変形例で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
また、当該手法の手順を記述したプログラムを記録媒体に格納して、頒布するようにしてもよい。なお、上記プログラムを記憶する媒体としては、例えば、フラッシュメモリや、ＵＳＢメモリやＳＤカード（登録商標）などの外部メモリを一例として挙げることができる。
【００５５】
（１０）上記実施の形態及び上記変形例をそれぞれ組み合わせるとしてもよい。
４．補足
（１）本発明の一態様である、携帯端末装置は、タッチパネルと、前記タッチパネル上での接触が検知された領域が当該タッチパネルの縁部であるかを判断する判断部と、前記タッチパネル上の第１領域への接触を検知中に前記第１領域とは異なる第２領域に対する接触が検知され、検知された第１領域及び第２領域のうち一の領域が縁部であると前記判断部が判断する場合に、他の領域の接触に係る操作に対応付けられた処理を有効な処理として特定する処理制御部とを備えることを特徴とする。
【００５６】
この構成によると、携帯端末装置は、第１領域と第２領域とのそれぞれの接触を検知すると、何れかの領域がタッチパネルの縁部である場合には他方の領域の接触に係る操作に対応する処理を有効なものとして特定するので、ユーザが縁部へのタッチを行った場合においても、他の領域へのタッチによる操作指示を受け付けることのできる。
（２）ここで、前記処理制御部は、前記一の領域が縁部であると前記判断部が判断する場合には、前記一の領域の接触に係る操作に対応付けられた処理を無効な処理として特定するとしてもよい。
【００５７】
この構成によると、携帯端末装置は、縁部と判断した領域への接触に係る操作に対応する処理を無効なものとするので、他の領域のみの接触に係る操作に対応する処理を有効なものとして確実に特定することができる。
（３）ここで、前記タッチパネルでの接触が未検出状態において、前記タッチパネル上の前記第１領域に対する接触が検知されると、前記判断部は、前記第１領域が前記タッチパネル上の縁部に含まれるか否かを判断し、前記処理制御部は、前記第１領域の接触を検知中に前記第２領域に対する接触が検知され、且つ前記第１領域が縁部に含まれると前記判断部が判断する場合には、前記第２領域の接触に係る操作に対応付けられた処理を有効な処理と特定するとしてもよい。
【００５８】
この構成によると、携帯端末装置は、先に接触が検知された第１領域が縁部であると判断する場合には、後に検知された第２領域への接触に係る操作が示す処理を有効なものとして特定する。そのため、ユーザが意図しない接触後に意図する接触がなされた場合において、意図する接触に係る操作が示す処理を有効なものとして特定することができる。
（４）ここで、前記携帯端末装置は、前記タッチパネル上の２点タッチにより特定される処理を実行する携帯端末装置であって、前記タッチパネル上の前記第１領域を接触中に前記第２領域に対する接触が検知されると、前記判断部は、先に接触が検知された前記第１領域が前記タッチパネル上の縁部に属するか否かを判断し、前記処理制御部は、前記判断部が前記第１領域が縁部に含まれると判断する場合には、前記第２領域の接触に係る操作に対応付けられた処理を有効な処理と特定し、前記判断部が前記第１領域及び第２領域の双方とも前記タッチパネルの縁部に含まれないと判断する場合には、前記第１領域及び前記第２領域の接触に係る操作に対応した前記２点タッチにより特定される処理を有効な処理と特定するとしてもよい。
【００５９】
この構成によると、携帯端末装置は、２点タッチにより処理を特定する場合において、先に接触が検知された第１領域が縁部であると判断する場合には、後に検知された第２領域への接触に係る操作が示す処理を有効なものとして特定、つまり２点タッチのうちの１点のタッチを特定することができる。
（５）ここで、前記判断部は、さらに、先に接触を検知している前記第１領域が前記タッチパネル上の縁部に含まれないと判断される場合には、後に接触を検知した前記第２領域が前記タッチパネル上の縁部に属するか否かを判断し、前記処理制御部は、さらに、前記第２領域が縁部に含まれると判断する場合には、先に接触を検知している前記第１領域の接触に係る操作に対応付けられた処理を有効な処理と特定し、前記第２領域の接触に係る操作に対応付けられた処理を無効な処理と特定するとしてもよい。
【００６０】
この構成によると、携帯端末装置は、２点タッチにより処理を特定する場合において、後に接触が検知された第２領域が縁部であると判断する場合には、先に検知された第１領域への接触に係る操作が示す処理を有効なものとして特定、つまり２点タッチのうちの１点のタッチを特定することができる。
（６）ここで、前記携帯端末装置は、縁部の設定が行われていない状態である場合において、前記タッチパネルは、縁部を設定する際に１つ以上の縁部設定用領域を表示し、前記携帯端末装置は、さらに、縁部を設定する場合に、前記１つ以上の縁部設定用領域それぞれについての接触が検知される際に、当該縁部設定用領域の接触の検知前に他の領域への接触が検知されているときには、先に検知された各他の領域全てを含む最小の矩形領域を縁部として、または先に検知された各他の領域全てに共通する領域を含む最小の矩形領域を縁部として設定する設定手段を備えるとしてもよい。
【００６１】
この構成によると、携帯端末装置は、縁部設定用領域への接触を検知する際に、先に接触を検知している領域の全体若しくはその一部を縁部として設定することにより、ユーザによる接触により検知された領域が縁部であるか否かの判定の精度を上げることができる。
【産業上の利用可能性】
【００６２】
本発明の端末装置は、タッチパネル機構を有する装置に有効である。
【符号の説明】
【００６３】
１    携帯電話機（携帯端末装置）
２、３    筐体
４    表示部
５    キー操作部
６    スピーカ部
７    マイクロフォン
１０    タッチパネル
２０    検知部
３０    制御部
３１    記憶部
３２    タッチ状態確認部
３３    処理部
【図１】
0005611763.tif 000002
【図２】
0005611763.tif 000003
【図３】
0005611763.tif 000004
【図４】
0005611763.tif 000005
【図５】
0005611763.tif 000006
【図６】
0005611763.tif 000007
【図７】
0005611763.tif 000008
【図８】
0005611763.tif 000009